(57)【要約】【課題】  小型、軽量化、低価格化を図るとともに、光ファイバケーブルの接続作業の効率を向上させるクロージャを提供する。【解決手段】  支持線３を有した光ファイバケーブル４同士の光接続部を収納するクロージャ１であって、各光ファイバケーブル４の支持線３を引き留める支持線固定具５と、光接続部を収納するクロージャスリーブ６とを有し、前記支持線固定具５及び前記クロージャスリーブ６の一方または両方に設けられている連結手段１４，６１によって、前記支持線固定具５と前記クロージャスリーブ６とが連結可能とされていることを特徴とする。【選択図】    図９
2005091776.tif 000002
【特許請求の範囲】
【請求項１】
支持線を有した光ファイバケーブル同士の光接続部を収納するクロージャであって、
各光ファイバケーブルの支持線を引き留める支持線固定具と、
光接続部を収納するクロージャスリーブとを有し、
前記支持線固定具及び前記クロージャスリーブの一方または両方に設けられている連結手段によって、前記支持線固定具と前記クロージャスリーブとが連結可能とされていることを特徴とするクロージャ。
【請求項２】
前記クロージャスリーブと前記支持線固定具とを連結したときに、クロージャスリーブと支持線固定具との間に前記支持線を挟み込めるようになっていることを特徴とする請求項１記載のクロージャ。
【請求項３】
前記支持線固定具または、前記クロージャスリーブのどちらか一方に係合凸部が形成され、他方に係合凹部が形成されており、前記係合凸部と前記係合凹部が嵌め合わされる構造であることを特徴とする請求項１または請求項２に記載のクロージャ。
【請求項４】
前記クロージャスリーブを固定構造物に取り付けるための固定具を、前記クロージャスリーブと前記支持線固定具との間の挟み込みによって固定できること特徴とする請求項１から請求項３のいずれか１項に記載のクロージャ。
【請求項５】
両端側に前記光ファイバケーブルの被覆部を把持するケーブル把持部を有し、さらに、両端側のケーブル把持部の間にて前記光接続部を保持する光接続部保持部とを備えた連結把持具が収納されていることを特徴とする請求項１から請求項４のいずれか１項に記載のクロージャ。
【請求項６】
前記クロージャスリーブは、一体成形されており、支持線固定具を中心にして両側が開閉自在に形成され、内面側に連結把持具を嵌め付ける嵌め込み手段を有することを特徴とする請求項５記載のクロージャ。
【請求項７】
前記支持部には、前記支持線を巻いて固定する突起部が形成されていること特徴とする請求項１から請求項６のいずれか１項に記載のクロージャ。
【請求項８】
各光ファイバケーブルの支持線を支持線固定具に引き留めた後、前記支持線固定具に前記クロージャスリーブを連結することを特徴とする請求項１記載のクロージャの組立方法。
【発明の詳細な説明】
【技術分野】
【０００１】
本発明は、光ファイバケーブル同士の光接続用のクロージャに関する。
【背景技術】
【０００２】
光ファイバケーブルの一種であるドロップケーブルの接続としては、一般に、クロージャや屋外型のキャビネット等が用いられている。従来のクロージャとしては、例えば、特許文献１のようなものなどがある。
【特許文献１】特開平１０−３００９４８号公報（段落番号００１０、第３図）
【発明の開示】
【発明が解決しようとする課題】
【０００３】
ところで、上述した特許文献１記載のクロージャにおいては、複数の光ファイバケーブルを光接続し、かつ、光ファイバの心線部の接続余長差を一定程度のループを描いて吸収できるように大きなクロージャスリーブを用いた構造となっているので、非常に大型なものとなってしまい、例えばドロップケーブルのように少心数の光ファイバケーブルの接続に適用した場合には、クロージャスリーブの容量に対して余長収用量が少ないなどといった無駄が非常に大きいといった不満がある。また、サイズが大きすぎることにより、重量が大きいため、現場での施工に手間がかかるといった問題もある。また、低コスト化も難しいといった問題もある。
【０００４】
この発明は、このような事情を考慮してなされたもので、その目的は、小型、軽量化、低価格化を図るとともに、光ファイバケーブルの接続作業の効率を向上させるクロージャを提供することにある。
【課題を解決するための手段】
【０００５】
上記目的を達成するために、この発明は以下の手段を提案している。
請求項１に係る発明は、支持線を有した光ファイバケーブル同士の光接続部を収納するクロージャであって、各光ファイバケーブルの支持線を引き留める支持線固定具と、光接続部を収納するクロージャスリーブとを有し、前記支持線固定具及び前記クロージャスリーブの一方または両方に設けられている連結手段によって、前記支持線固定具と前記クロージャスリーブとが連結可能とされていることを特徴とする。また、本発明に係るクロージャの組立方法は、各光ファイバケーブルの支持線を支持線固定具に引き留めた後、前記支持線固定具に前記クロージャスリーブを連結することを特徴とする。
【０００６】
この発明に係るクロージャによれば、支持線固定具とクロージャスリーブとから構成されていることにより、構造が単純化されているので、従来のものと比較して小型化することができるとともに、軽量化及び低価格化を実現することができる。また、小型、軽量化されていることにより、様々な場所に設置することができる。また、支持線を固定することと、光ファイバケーブル同士を光接続することとを別々に行った後、連結手段により支持線固定具とクロージャスリーブとを連結する接続方法が可能である。これにより、例えば、先に支持線を支持線固定具に固定し、光ファイバケーブル同士の光接続を地上で行い、光接続部をクロージャスリーブに収納した後、支持線固定具とクロージャスリーブとを連結することができる。また、支持線を固定及び光ファイバケーブルを光接続する際に、別々に作業を行うことにより、お互いが干渉することがないので、作業効率を向上させることができる。
【０００７】
請求項２に係る発明は、請求項１記載のクロージャにおいて、前記クロージャスリーブと前記支持線固定具とを連結したときに、クロージャスリーブと支持線固定具との間に前記支持線を挟み込めるようになっていることを特徴とする。
この発明に係るクロージャによれば、支持線をクロージャスリーブと支持線固定具との間に挟み込んで、クロージャスリーブと支持線固定具とを連結するので、支持線を容易に固定することができる。したがって、作業効率を向上させることができる。
【０００８】
請求項３に係る発明は、請求項１又は請求項２記載のクロージャにおいて、前記支持線固定具または、前記クロージャスリーブのどちらか一方に係合凸部が形成され、他方に係合凹部が形成されており、前記係合凸部と前記係合凹部が嵌め合わされる構造であることを特徴とする。
この発明に係るクロージャによれば、支持線固定具とクロージャスリーブの連結を係合凸部と係合凹部とを嵌め合わすだけで連結を行うことができるので、連結作業の効率を向上させることができるとともに、支持線固定具とクロージャスリーブとの連結を非常に簡単に行える。
【０００９】
請求項４に係る発明は、請求項１から請求項３のいずれか１項に記載のクロージャにおいて、前記クロージャスリーブを固定構造物に取り付けるための固定具を、前記クロージャスリーブと前記支持線固定具との間の挟み込みによって固定できること特徴とする。
この発明に係るクロージャによれば、例えば、壁や柱等の固定構造物に固定するための固定具を有するので、様々な場所に設置することができる。
【００１０】
請求項５に係る発明は、請求項１から請求項４のいずれかに記載のクロージャにおいて、両端側に前記光ファイバケーブルの被覆部を把持するケーブル把持部を有し、さらに、両端側のケーブル把持部の間にて前記光接続部を保持する光接続部保持部とを備えた連結把持具が収納されていることを特徴とする。
この発明に係るクロージャによれば、光接続部により光接続した光ファイバケーブルを連結把持具により把持し、この連結把持具をクロージャスリーブ内に収納するので、光ファイバケーブルをより確実に固定することができる。
【００１１】
請求項６に係る発明は、請求項５記載のクロージャにおいて、前記クロージャスリーブは、一体成形されており、支持線固定具を中心にして両側が開閉自在に形成され、内面側に連結把持具を嵌め付ける嵌め込み手段を有することを特徴とする。
この発明に係るクロージャによれば、クロージャスリーブが一体成形されていることにより、クロージャスリーブの製造が容易となるので、製造効率を向上させるとともにコストを低減することができる。また、開閉自在とされた合わせ面が形成されていることにより、クロージャスリーブの開閉作業を容易に行うことができる。さらに、クロージャスリーブの内面側に連結把持具を嵌めつける嵌め込み手段を有することにより、連結把持具を堅固に固定するので、例えば、風等により振動が発生した場合にも、連結把持具のクロージャスリーブ内でのガタツキを防止でき、光ファイバケーブル同士の光接続部の接続状態が光特性を安定に維持できる。
【００１２】
請求項７に係る発明は、請求項１から請求項６のいずれかに記載のクロージャにおいて、前記支持部には、前記支持線を巻いて固定する突起部が形成されていること特徴とする。
この発明に係るクロージャによれば、突起部に巻きつけることによって支持線を支持線固定具に固定する。その結果、支持線固定具に対する支持線の固定を容易に行える。
【発明の効果】
【００１３】
本発明によれば、支持線固定具とクロージャスリーブとから構成されていることにより、構造が単純化されているので、従来のものと比較して小型化することができるとともに、軽量化及び低価格化を実現することができる。また、小型、軽量化されていることにより、様々な場所に設置することができる。また、支持線を固定することと、光ファイバケーブル同士を光接続することとを別々に行った後、連結手段により支持線固定具とクロージャスリーブとを連結する。これにより、例えば、先に支持線を支持線固定具に固定し、光ファイバケーブル同士の光接続を地上で行い、光接続部をクロージャスリーブに収納した後、支持線固定具とクロージャスリーブとを連結することができる。また、支持線を固定及び光ファイバケーブルを光接続する際に、別々に作業を行うことにより、お互いが干渉することがないので、作業効率を向上させることができる。
【発明を実施するための最良の形態】
【００１４】
以下、図面を参照し、この発明の実施の形態について説明する。
図１においてクロージャ１ａ，１ｂは、電柱２に架設された支持線３を有したドロップケーブル４同士の接続に用いられるものであり、図２に示すようにケーブル４の支持線３を引き留める支持線固定具５と、クロージャスリーブ６とから構成されている。また、クロージャスリーブ６内には、図３に示すようにドロップケーブル４及び、ドロップケーブル４の光接続用のクランプ部７が取り付けられる連結把持具８が収納されている。ここで、ドロップケーブル４は，単心のものに限定されず、例えば、２心、４心、８心などの多心のものであってもよい。
【００１５】
図４に示すように、支持線固定具５は、支持板１１を備えており、支持板１１の上面には、両端側にそれぞれ配置された支持線押さえ部１２と、２つ配置された突起部１３が突設されており、支持板１１の下面には、係合部（係合凸部）１４が突設されている。支持線押さえ部１２は、断面略ひし形に形成された柱部１２Ａと、その上端側に形成された傘部１２Ｂとから構成されている。また、突起部１３は、断面略楕円形に形成された柱部１３Ａと、その上端側に形成された傘部１３Ｂとから構成されている。係合部１４の先端側には、切欠き部１４Ａを有しており、図６に示すクロージャスリーブ６の突部（係合凹部）６１に嵌め合わされることにより、支持線固定具５とクロージャスリーブ６とを連結するものである。
【００１６】
図３に示すように、図２に示すクロージャスリーブ６に収納された連結把持具８は、両端側にドロップケーブル４を把持するドロップケーブル把持部（ケーブル把持部）２１と、クランプ部７を保持するクランプ部保持部（光接続部保持部）２２とを備えている。ドロップケーブル把持部２１は、Ｕスリットとされ、対向する面２３に微小の凸部２４が複数形成されており、これによりドロップケーブル４を堅固に把持するものである。
【００１７】
ここで、クランプ部７は、二つ割り構造の素子３１，３２，３３，３４と、これら素子３１，３２，３３，３４の外側に装着され、これらを挟み込むようにしてクランプするコ字状のバネ部材３５とを備えている。ここでは、上記素子３１，３２，３３，３４は、バネ部材３５のクランプ力によって、角柱状に一体化されている。なお、素子３１，３２，３３，３４は円柱状（二つ割りの各素子は断面半円状）であってもよく、その場合、バネ部材３５はＣ字状のものを用いるとよい。素子３１と先端側の素子とが重ね合わされる合わせ面３１ａ，３２ａには、調心機構として、ドロップケーブルを位置決めして調心する図示しない位置決め溝が、素子３１の長手方向に延びて形成されている。ここでは位置決め溝は、素子３１の合わせ面３１ａに形成されているが、これに限定されず、位置決め溝３６が素子３２側の合わせ面３２ａに形成された構成や、素子３１および素子３２の両側に形成された構成も採用可能である。位置決め溝の断面形状は、例えばＶ溝であるが、Ｕ溝、丸溝（断面半円形の溝）などであってもよい。
【００１８】
図５に示すようにクロージャスリーブ６は、例えば、ポリプロピレンなどの樹脂により形成されたものであり、主壁部４１と、主壁部４１を中心として対向する位置に配置された側壁部４２，４３とから構成されている。この主壁部４１と側壁部４２，４３との間は、それぞれ肉厚を切り抜いて形成された薄肉とされており、クロージャスリーブ６を開閉するとき、ヒンジとして機能することにより、容易に開閉できるようになっている。側壁部４２，４３の端面は、対向する側壁部４２，４３に対する合わせ面４２Ａ，４３Ａとされており、この側壁部４２，４３の外面側には、側壁部４２，４３同士を合わせ面４２Ａ，４３Ａが閉じ合わされた状態に固定する固定手段４４を（本実施の形態では３つ）備えている。この固定手段４４は、側壁部４３に形成された突起部４５と、側壁部４２に形成されたラッチ４６とから構成されており、ラッチ４６と突起部４５とが係合することにより、閉じた状態を維持できる。
【００１９】
クロージャスリーブ６の内面側には、パッキン５１と、図３に示す連結把持具８を固定する連結把持具固定部５２とを有している。パッキン５１は、クロージャスリーブ６の両端の開口部に設けられたものであり、挿入されたドロップケーブル４を挟み込むことにより、前記開口部を水密封止するものである。連結把持具固定部５２は、側壁部４２，４３に対向して配置され連結把持具８の下面側を支持する突起部５３と、突起部５３と同様に対向して配置され連結把持具８の上面側を支持する突起部５４とから構成されており、突起部５３と突起部５４との間隔は、連結把持具８の縦方向の幅よりも若干狭くなっている。これにより、この連結把持具固定部５２は、連結把持具８を堅固に把持するものである。
また、図６に示すように主壁部４１の外面側には、対となるように形成された突部６１を備えており、突部６１の対向する面６２は、支持線把持溝６３とされている。また、突部６１は、外方に向けて突出した段部６３が形成されている。このクロージャ１は、この段部６３に支持線固定具５の係合部１４の切欠き部１４Ａが嵌め合わされることにより、支持線固定具５とクロージャスリーブ６とが連結される構成とされている。
【００２０】
上記の構成からなるクロージャ１にドロップケーブル４を取付ける方法について説明する。はじめにクロージャ１の支持線３を支持線固定具５に巻き付けて固定する場合、図９（ａ）に示すように、両端側から進入させた支持線３Ａ，３Ｂを突起部１３に巻き付け、進入方向に折り返し、折り返した支持線３Ａ，３Ｂを支持線押え部１２に押さえつけた後、折り返した支持線３Ａ，３Ｂの先端部と、支持線３Ａ，３Ｂとをテープ等により巻き付けて固定する。
【００２１】
他方、図３に示すように対向して挿入されるドロップケーブル９，１０の図示しない裸光ファイバ同士を突き合わせにより光接続し、クランプ部７によりクランプ固定する。そして、ドロップケーブル９，１０は、連結把持部８のドロップケーブル把持部２１に把持され、クランプ部７をクランプ部保持部２２に嵌め込み保持する。ここで、ドロップケーブル把持部２１は、Ｕ字スリットの間隔がドロップケーブル９，１０の外径より若干小さく形成され、かつ対向する面２３には、微小な突部２４が形成されていることにより、ドロップケーブル９，１０を堅固に把持することができる。なお、この際、ドロップケーブル９，１０の心線部９Ｂ，１０Ｂに若干のたわみを持たせるのが好ましい。これは、例えば、ドロップケーブル９，１０が引っ張られた場合に、ある程度のたわみがあることにより、過度の引っ張り力が生じることが防止できるからであり、切断されることを防止できるからである。
【００２２】
図８（ａ）に示すように、連結把持具８をクロージャスリーブ６に収納するには、連結把持具固定部５２に連結把持具８を嵌め込ませる。このとき、連結把持具固定部５２の突起部５３と突起部５４との間隔は、連結把持具８の縦方向の幅よりも若干狭くなっていることにより、連結把持具８を堅固に把持する。そして、側壁部４２，４３の合わせ面４２Ａ，４３Ａと側壁部４２，４３の合わせ面４２Ａ，４３Ａを当接させ、図５に示す突起部４５とラッチ４６とを係合させて、図７及び図８（ｂ）に示すように、クロージャスリーブ６を閉じる。このとき、図５に示すクロージャスリーブ６の両端内面側に設けられたパッキン５１によりドロップケーブル４を挟み込むことにより、クロージャスリーブ６の両端の開口部を水密封止することができる。なお、このとき、合わせ面４２Ａ，４３Ａは、完全に水密封止されているわけではないので、たとえクロージャスリーブ６内が浸水しても、この合わせ面４２Ａ，４３Ａから排水できる。
【００２３】
そして、図９（ｂ）に示すように、支持線固定具５とクロージャスリーブ６とを連結させる。即ち、図６に示すように、クロージャスリーブ６の上面に形成された突部６１と支持線固定具５の下面に形成された係合部１４とを嵌め合わせ、係合部１４の切欠き部１４Ａと突部６１の段部６４と係合させることにより、図９（ｂ）に示すように、支持線固定具５とクロージャスリーブ６とを極めて簡単に連結できる。
【００２４】
次に、図１に示すように電柱２の脇でドロップケーブル４を光接続する場合について説明する。この場合、支持線３を接続する必要が無いのでスルーさせる。このとき、予め上述した方法でドロップケーブル４を光接続し、連結把持具８をクロージャスリーブ６に収納しておく。そして、図１０に示すように、支持線把持溝６３に支持線３を挟み込むようにして挿入する。このとき、支持線把持溝６４は、幅を支持線３の外径よりも若干狭くなるように形成しているので、この支持線３に狭持力を与えて把持する。その後、上述したように支持線把持具５とクロージャスリーブ６とを嵌め合わせて連結させる。
【００２５】
上記の構成によれば、支持線固定具５とクロージャスリーブ６とから構成されていることにより、構造が単純化されているので、従来のものと比較して小型化することができるとともに、軽量化及び低価格化を実現することができる。また、小型、軽量化されていることにより、様々な場所に設置することができる。また、支持線３を固定することと、ドロップケーブル４同士を光接続することとを別々に行った後、支持線固定具５とクロージャスリーブ６とを連結する。これにより、例えば、先に支持線３を支持線固定具５に固定し、ドロップケーブル４同士の光接続を地上で行い、クランプ部７をクロージャスリーブ６に収納した後、支持線固定具５とクロージャスリーブ６とを連結することができる。また、支持線３を固定及びドロップケーブル４を光接続する際に、別々に作業を行うことにより、お互いが干渉することがないので、支持線固定具５がドロップケーブル４の接続作業を妨害することが無く、作業効率を向上させることができる。さらに、電柱２脇にクロージャ１を設置した際、支持線３を支持線把持溝６３に挿入して把持し、スルーさせることにより、支持線３の固定作業を行う必要が無いので作業効率を簡略化することができる。この結果、ドロップケーブル４の断線事故などの際の支障移転などに効果を発揮し、特に断線した箇所を個別に、安価、小型、軽量の部材で、簡易にかつ早期に補修、復旧することが可能となる。
【００２６】
また、支持線固定具５への支持線３の固定は、手捻りで行うため、特殊工具が要らず、養鯉、迅速、確実に必要十分な固定強度を得ることができる。そのため、作業者の熟練度による支持線固定強度のばらつきが生じない。
支持線固定具５とスリーブ６の嵌合がワンタッチで容易、迅速、確実に必要十分な固定強度を得ることができる。また、支持線固定具５とスリーブ６の嵌合位置は、その場で調整が可能な構造となっており、支持線３とドロップケーブル４の接続中心に多少のずれが生じていても、作業をやり直す必要が生じず、作業性に優れる。さらに、作業者の熟練度による両者の強度のばらつきが生じない。
【００２７】
なお、上記の実施の形態においては、図９及び図１０に示すように、支持線３を支持線固定具５に固定もしくはスルーさせることにより、架空に固定するものであったが、これに限るものではない。例えば、図１１，１２に示すように、クロージャ１を壁や柱などの固定構造物に取り付けるためのＬ字状の固定具７１を有するクロージャ１であってもよい。このＬ字状の固定具７１には、図示しない開口部と、孔７２と、開口部７３とが形成されている。このＬ字状の固定具７１は、開口部を支持線固定具５の係合部１４に挿入し、支持線固定具５とクロージャスリーブ６とを嵌め合わせて連結する。このとき、突部６１と支持線固定具５の支持板１１とに挟みこまれることにより堅固に固定される。そして、壁や柱などに設置した後、ボルトなどをねじ込むことにより、クロージャ１を固定することができる。したがって、上記の構成によれば、電柱２脇や電柱２間だけでなく、家屋などの壁や支柱、さらには、ポール内の狭いボックス内への固定を容易、迅速、確実に行うことができる。
【００２８】
また、本実施の形態においては、光接続部としてクランプ部７を用いたがこれに限るものではなく、融着による光接続や、クランプ部７と融着接続とによる共用としてもよい。但し、クランプ部７の場合は、融着接続と共用の製品と比較し、小型（短寸）、軽量などの利点がある。
【図面の簡単な説明】
【００２９】
【図１】この発明の一実施形態に係るクロージャを設置した概略構成図である。
【図２】この発明の一実施形態に係るクロージャを示す斜視図である。
【図３】この発明の一実施形態に係るクロージャの連結把持具を示す斜視図である。
【図４】この発明の一実施形態に係るクロージャの支持線固定愚を示す図であり、（ａ）は上面図、（ｂ）は側面図である。
【図５】この発明の一実施形態に係るクロージャのクロージャスリーブの内面側を示す図である。
【図６】この発明の一実施形態に係るクロージャを示す図であって、支持線固定具とクロージャスリーブの連結を示す斜視図である。
【図７】この発明の一実施形態に係るクロージャの連結把持具をクロージャスリーブに収納した内面図である。
【図８】この発明の一実施形態に係るクロージャのクロージャスリーブに連結把持具を収納する方法を示す断面図であって、（ａ）は連結把持具を収納する前、(ｂ)は、連結把持具を収納したときの断面図である。
【図９】この発明の一実施形態に係るクロージャに支持線を巻き付けた状態を示す図であって、（ａ）は上面図、（ｂ）は側面図である。
【図１０】この発明の一実施形態に係るクロージャに支持線をスルーさせた状態を示す図であって、（ａ）は上面図、（ｂ）は側面図である。
【図１１】この発明の別の実施形態に係るクロージャを示す側面図である。
【図１２】この発明の別の実施携帯に係るクロージャを示す側方図である。
【符号の説明】
【００３０】
１    クロージャ
３    支持線
４    ドロップケーブル
５    支持線固定具
６    クロージャスリーブ
１４  係合部
６１  突部      
【図１】
2005091776.tif 000003
【図２】
2005091776.tif 000004
【図３】
2005091776.tif 000005
【図４】
2005091776.tif 000006
【図５】
2005091776.tif 000007
【図６】
2005091776.tif 000008
【図７】
2005091776.tif 000009
【図８】
2005091776.tif 000010
【図９】
2005091776.tif 000011
【図１０】
2005091776.tif 000012
【図１１】
2005091776.tif 000013
【図１２】
2005091776.tif 000014